【手続補正書】
【提出日】平成30年10月24日(2018.10.24)
【手続補正１】
【補正対象書類名】明細書
【補正対象項目名】０００９
【補正方法】変更
【補正の内容】
【０００９】
上記目的を達成するため、本発明に係る給湯器管理装置は、気象条件によって発電量が変化する発電システムから電力の供給を受ける、貯湯タンクを有する電気給湯器について、貯湯タンク内の湯水の温度を定められた温度まで上昇させる沸き上げ運転を含む電気給湯器の動作を管理する給湯器管理装置であって、電力データ取得部と、稼働データ取得部と、気象情報取得部と、余剰電力予測部と、所要電力算出部と、時間帯検出部と、割当時間帯取得部と、スケジュール決定部とを備える。電力データ取得部は、発電システムの発電電力実績ならびに発電システムから電力の供給を受ける電気機器および電気給湯器の消費電力実績を含む電力データを取得する。稼働データ取得部は、電気給湯器の動作状態、残湯量、および残湯温度を含む稼働データを取得する。気象情報取得部は、発電システムの設置場所における気象条件を取得する。余剰電力予測部は、電力データならびに気象条件から、将来期間における余剰電力の予測値を算出する。所要電力算出部は、電気給湯器の特性に応じて稼働データから電気給湯器の沸き上げ運転に必要な電力である所要電力および該沸き上げ運転の完了までに要する所要時間を算出する。時間帯検出部は、余剰電力の予測値、所要電力および所要時間から、将来期間の内、余剰電力によって電気給湯器の沸き上げ運転が可能な時間帯である第１の時間帯を検出し、第１の時間帯を示す情報を出力する。割当時間帯取得部は、第１の時間帯の内、電気給湯器の沸き上げ運転に割り当てられる時間帯である割当時間帯を示す情報を取得する。スケジュール決定部は、割当時間帯を示す情報に応じて、将来期間における該電気給湯器の沸き上げ運転を行う時間帯を示すスケジュールを作成して出力する。
【手続補正２】
【補正対象書類名】特許請求の範囲
【補正対象項目名】全文
【補正方法】変更
【補正の内容】
【特許請求の範囲】
【請求項１】
気象条件によって発電量が変化する発電システムから電力の供給を受ける、貯湯タンクを有する電気給湯器について、前記貯湯タンク内の湯水の温度を定められた温度まで上昇させる沸き上げ運転を含む前記電気給湯器の動作を管理する給湯器管理装置であって、
前記発電システムの発電電力実績ならびに前記発電システムから電力の供給を受ける電気機器および前記電気給湯器の消費電力実績を含む電力データを取得する電力データ取得部と、
前記電気給湯器の動作状態、残湯量、および残湯温度を含む稼働データを取得する稼働データ取得部と、
前記発電システムの設置場所における前記気象条件を取得する気象情報取得部と、
前記電力データならびに前記気象条件から、将来期間における余剰電力の予測値を算出する余剰電力予測部と、
前記電気給湯器の特性に応じて前記稼働データから前記電気給湯器の前記沸き上げ運転に必要な電力である所要電力および該沸き上げ運転の完了までに要する時間である所要時間を算出する所要電力算出部と、
前記余剰電力の予測値、前記所要電力および前記所要時間から、前記将来期間の内、前記余剰電力によって前記電気給湯器の前記沸き上げ運転が可能な時間帯である第１の時間帯を検出し、前記第１の時間帯を示す情報を出力する時間帯検出部と、
前記第１の時間帯の内、前記電気給湯器の前記沸き上げ運転に割り当てられる時間帯である割当時間帯を示す情報を取得する割当時間帯取得部と、
前記割当時間帯を示す情報に応じて、前記将来期間における該電気給湯器の前記沸き上げ運転を行う時間帯を示すスケジュールを作成して出力するスケジュール決定部と、
を備える給湯器管理装置。
【請求項２】
前記余剰電力予測部は、前記割当時間帯取得部において前記割当時間帯を示す情報を取得した場合には、前記割当時間帯における前記余剰電力の予測値から前記所要電力を減算して、前記余剰電力の予測値を更新し、
前記時間帯検出部は、更新された前記余剰電力の予測値に応じて前記第１の時間帯を検出し、前記第１の時間帯を示す情報を出力する、
請求項１に記載の給湯器管理装置。
【請求項３】
前記時間帯検出部は、長さが前記所要時間と一致する時間帯であって、該時間帯に亘って前記余剰電力の予測値と前記所要電力の内、小さい値を積算した値が、前記沸き上げ運転に必要な電力量である所要電力量に１未満の正数である比率を乗算した値以上となる前記時間帯である第２の時間帯を検出し、前記第２の時間帯を示す情報を出力し、
前記割当時間帯取得部は、前記第１の時間帯および前記第２の時間帯の少なくともいずれかから前記電気給湯器の前記沸き上げ運転に割り当てられた時間帯である前記割当時間帯を示す情報を取得する、
請求項１または２に記載の給湯器管理装置。
【請求項４】
前記時間帯検出部は、前記発電電力の予測値および前記消費電力の予測値から、前記将来期間における電力会社の電源系統から供給される電力である系統電力使用量の予測値を算出し、前記系統電力使用量の予測値が前記電力会社との契約電力によって決定される閾値に１未満の正数を乗算した値以上である第３の時間帯を検出し、前記第３の時間帯を示す情報を出力する、
請求項１から３のいずれか１項に記載の給湯器管理装置。
【請求項５】
前記時間帯検出部は、前記第３の時間帯を、前記電気給湯器の前記沸き上げ運転が不可能な時間帯として出力する、
請求項４に記載の給湯器管理装置。
【請求項６】
請求項１から５のいずれか１項に記載の給湯器管理装置にネットワークを介して接続され、
気象条件によって発電量が変化する発電システムから電力の供給を受ける、貯湯タンクを有する電気給湯器について、前記貯湯タンク内の湯水の温度を定められた温度まで上昇させる沸き上げ運転を含む前記電気給湯器の動作を制御するゲートウェイ装置であって、
前記発電システムの発電電力実績ならびに前記発電システムから電力の供給を受ける電気機器および前記電気給湯器の消費電力実績を含む電力データを取得する電力データ取得部と、
前記電気給湯器の動作状態、残湯量、および残湯温度を含む稼働データを取得する稼働データ取得部と、
将来期間の内、余剰電力によって前記電気給湯器の前記沸き上げ運転が可能な時間帯である第１の時間帯を示す情報を出力する時間帯出力部と、
前記第１の時間帯の内、前記電気給湯器の前記沸き上げ運転に割り当てられる時間帯である割当時間帯を示す情報を取得する割当時間帯取得部と、
前記稼働データおよび前記電力データを前記給湯器管理装置に送信し、前記稼働データおよび前記電力データに基づいて検出される前記第１の時間帯を示す情報を前記給湯器管理装置から受信し、前記割当時間帯を示す情報を前記給湯器管理装置に送信し、前記将来期間における前記電気給湯器の前記沸き上げ運転を行う時間帯を示すスケジュールを給湯器管理装置から受信する通信部と、
前記スケジュールに応じて前記電気給湯器を制御する給湯器制御部と、
を備えるゲートウェイ装置。
【請求項７】
請求項１から５のいずれか１項に記載の給湯器管理装置と、
請求項６に記載のゲートウェイ装置と、
を備える給湯器管理システム。
【請求項８】
気象条件によって発電量が変化する発電システムから電力の供給を受ける、貯湯タンクを有する電気給湯器について、前記貯湯タンク内の湯水の温度を定められた温度まで上昇させる沸き上げ運転を含む前記電気給湯器の動作を管理するためのプログラムであって、コンピュータを、
前記発電システムの発電電力実績ならびに前記発電システムから電力の供給を受ける電気機器および前記電気給湯器の消費電力実績を含む電力データを取得する電力データ取得部、
前記電気給湯器の動作状態、残湯量、および残湯温度を含む稼働データを取得する稼働データ取得部、
前記発電システムの設置場所における前記気象条件を取得する気象情報取得部、
前記電力データならびに前記気象条件から、将来期間における余剰電力の予測値を算出する余剰電力予測部、
前記電気給湯器の特性に応じて前記稼働データから前記電気給湯器の前記沸き上げ運転に必要な電力である所要電力および該沸き上げ運転の完了までに要する時間である所要時間を算出する所要電力算出部、
前記余剰電力の予測値、前記所要電力および前記所要時間から、前記将来期間の内、前記余剰電力によって前記電気給湯器の前記沸き上げ運転が可能な時間帯である第１の時間帯を検出し、前記第１の時間帯を示す情報を出力する時間帯検出部、
前記第１の時間帯の内、前記電気給湯器の前記沸き上げ運転に割り当てられる時間帯である割当時間帯を示す情報を取得する割当時間帯取得部、
前記割当時間帯を示す情報に応じて、前記将来期間における該電気給湯器の前記沸き上げ運転を行う時間帯を示すスケジュールを作成して出力するスケジュール決定部、
として機能させるプログラム。